(57)【要約】【課題】製造工程を簡素化することができ、製造コストを低減することができる容器を提供する。【解決手段】筒状部材１０と、筒状部材１０の端部を閉塞する閉塞板３０と、を備えている容器１である。閉塞板３０は、紙製の基板３１と、基板３１の内面を被覆している樹脂製の内側シート３２と、基板３１の外面に貼り付けられたシール３３と、を備えている。基板３１には、スリットＬに囲まれた切り取り部３４が形成され、切り取り部３４および内側シート３２には貫通穴４０が形成され、切り取り部３４はシール３３に覆われている。シール３３を基板３１から剥離したときに、切り取り部３４がシール３３とともに基板３１から取り除かれる。【選択図】図１
2018104036.tif 000002
【特許請求の範囲】
【請求項１】
筒状部材と、
前記筒状部材の端部を閉塞している閉塞板と、を備えている容器であって、
前記閉塞板は、
紙製の基板と、
前記基板の内面を被覆している樹脂製の内側シートと、
前記基板の外面に剥離可能に貼り付けられたシールと、を備え、
前記基板には、スリットに囲まれた切り取り部が形成されており、
前記切り取り部および前記内側シートには貫通穴が形成され、
前記切り取り部は、前記シールに覆われており、
前記シールを前記基板から剥離したときに、前記切り取り部が前記シールとともに前記基板から取り除かれることを特徴とする容器。
【請求項２】
容器の端部を閉塞するための閉塞板の製造方法であって、
前記閉塞板は、
紙製の基板と、
前記基板の内面を被覆している樹脂製の内側シートと、
前記基板の外面に剥離可能に貼り付けられたシールと、を備えており、
前記基板の内面に前記内側シートを被覆する段階と、
前記基板の外面を切り込んでスリットに囲まれた切り取り部を形成するとともに、前記切り取り部および前記内側シートに貫通穴を貫通させる段階と、
前記基板の外面に前記シールを貼り付けて、前記シールによって前記切り取り部を覆う段階と、を備えていることを特徴とする閉塞板の製造方法。
【請求項３】
請求項２に記載の閉塞板の製造方法であって、
前記基板は、前記基板の外面に前記シールを貼り付けた後に、板紙から切り抜かれることを特徴とする閉塞板の製造方法。
【発明の詳細な説明】
【技術分野】
【０００１】
本発明は、容器および閉塞板の製造方法に関する。
【背景技術】
【０００２】
マヨネーズやケチャップなどの液体調味料を封入するための容器としては、筒状部材と、筒状部材の上側開口部に嵌め込まれた蓋部材と、筒状部材の底部を閉塞している閉塞板と、を備え、閉塞板にスリット状の貫通穴が形成されているものがある（例えば、特許文献１参照）。このような容器では、容器内に封入された液体調味料を閉塞板の貫通穴から押し出して食材にかけることができる。
【０００３】
前記した容器の閉塞板は、紙製の基板と、基板の内面を被覆している樹脂製の内側シートと、基板の外面に剥離可能に貼り付けられたシールと、を備えている。基板の中央部には開口部が貫通しており、開口部内に内側シートの貫通穴が露出している。また、閉塞板の開口部はシールによって覆われている。
【０００４】
前記した容器の使用時には、基板の外面からシールを剥離して開口部を開口させ、蓋部材を筒状部材の底部側に押し込むと、蓋部材の外周面が筒状部材の内周面に密着した状態で、蓋部材が筒状部材の底部側に移動する。このとき、蓋部材は、筒状部材の内周面に被覆されたポリエチレンの表層を剥離しながら底部側に移動する。これにより、筒状部材内の液体調味料は、ポリエチレンの膜に包まれた状態で、筒状部材の底部側に押し込まれ、内側シートの貫通穴から液体調味料が押し出される。
【先行技術文献】
【特許文献】
【０００５】
【特許文献１】米国特許第４８３０２３１号明細書
【発明の概要】
【発明が解決しようとする課題】
【０００６】
前記した従来の容器の閉塞板を製造するときには、基板の中央部を切り抜いて開口部を形成した後に、板紙の内面を内側シートで被覆して、内側シートに貫通穴を切り込んでいる。
このような容器の製造方法では、基板に開口部を形成する切断作業と、内側シートに貫通穴を形成する切断作業とが別工程に分かれているため、製造工程が複雑になるという問題がある。
【０００７】
本発明は、前記した問題を解決し、製造工程を簡素化することができ、製造コストを低減することができる容器および閉塞板の製造方法を提供することを課題とする。
【課題を解決するための手段】
【０００８】
前記課題を解決するため、本発明は、筒状部材と、前記筒状部材の端部を閉塞している閉塞板と、を備えている容器である。前記閉塞板は、紙製の基板と、前記基板の内面を被覆している樹脂製の内側シートと、前記基板の外面に剥離可能に貼り付けられたシールと、を備えている。前記基板には、スリットに囲まれた切り取り部が形成され、前記切り取り部および前記内側シートには貫通穴が形成され、前記切り取り部は前記シールに覆われている。そして、前記シールを前記基板から剥離したときに、前記切り取り部が前記シールとともに前記基板から取り除かれるように構成されている。
【０００９】
また、本発明は、容器の端部を閉塞するための閉塞板の製造方法であって、前記閉塞板は、紙製の基板と、前記基板の内面を被覆している樹脂製の内側シートと、前記基板の外面に剥離可能に貼り付けられたシールと、を備えている。そして、前記基板の内面に前記内側シートを被覆する段階と、前記基板の外面を切り込んでスリットに囲まれた切り取り部を形成するとともに、前記切り取り部および前記内側シートに貫通穴を形成する段階と、を備えている。さらに、前記基板の外面に前記シールを貼り付けて、前記シールによって前記切り取り部を覆う段階を備えている。
なお、前記した閉塞板の製造方法において、前記基板は、前記基板の外面に前記シールを貼り付けた後に、板紙から切り抜いてもよい。
【００１０】
本発明では、容器の使用時に基板からシールを剥離すると、切り取り部がシールに付着してシールとともに基板から取り除かれる。これにより、基板に開口部が形成され、開口部内に内側シートの貫通穴が露出する。
【００１１】
本発明の容器および閉塞板の製造方法では、基板に切り取り部を形成する切断作業と、切り取り部および内側シートに貫通穴を形成する切断作業とを同一工程で行うことができる。したがって、本発明では、閉塞板の製造工程を簡素化することができるため、容器の製造コストを低減することができる。
【００１２】
また、本発明の容器は、未使用時に基板の開口部が切り取り部によって塞がれているため、内容物がシールに接触し難くなるとともに、容器の強度を高めることができる。
【発明の効果】
【００１３】
本発明の容器および閉塞板の製造方法では、製造工程を簡素化することができるため、製造コストを低減することができる。また、容器の内容物がシールに接触し難くなるとともに、容器の強度を高めることができる。
【図面の簡単な説明】
【００１４】
【図１】本発明の実施形態に係る容器を示した図で、（ａ）は下から見た斜視図、（ｂ）は閉塞板からシールを剥離した状態を下から見た斜視図である。
【図２】本発明の実施形態に係る容器の底部を示した図で、（ａ）は側断面図、（ｂ）は閉塞板からシールを剥離した状態の側断面図である。
【図３】本発明の実施形態に係る容器において、内容物を押し出す態様を示した側断面図である。
【図４】本発明の実施形態に係る閉塞板の製造方法を示した図で、（ａ）は板紙を示した斜視図、（ｂ）は切り取り部および貫通穴を形成した状態の斜視図である。
【図５】本発明の実施形態に係る閉塞板の製造方法を示した図で、（ａ）は板紙にシールを貼り付けた状態の斜視図、（ｂ）は板紙から基板を切り抜いた状態の斜視図である。
【発明を実施するための形態】
【００１５】
本発明の実施形態について、適宜図面を参照しながら詳細に説明する。
本実施形態では、図１（ａ）に示すように、マヨネーズやケチャップなどの液体調味料を封入するための容器１を例として説明する。
なお、本発明の容器に封入される内容物は限定されるものではなく、各種の液体、粉末または粒状物を収容することができる。
【００１６】
本実施形態の容器１は、筒状部材１０と、筒状部材１０の頂部を閉塞している蓋部材２０と、筒状部材１０の底部を閉塞している閉塞板３０と、を備えている。
【００１７】
筒状部材１０は、円筒状の周壁部１１を有している。周壁部１１は、長方形の板紙を円筒状に巻いて、板紙の両側縁部を熱接着によって接合したものである。
周壁部１１の内周面には、ポリエチレンなどの熱可塑性樹脂がラミネート加工されており、熱可塑性樹脂の表層が形成されている。なお、周壁部１１の内周面および外周面の両方に熱可塑性樹脂をラミネート加工してもよい。
【００１８】
筒状部材１０の上側開口部１０ａは、円板状の蓋部材２０によって閉塞されている。蓋部材２０は、ポリエチレンなどの熱可塑性樹脂製の部材である。蓋部材２０は、筒状部材１０の上側開口部１０ａに嵌め込まれている。
蓋部材２０は、筒状部材１０の内周面の表層と同一の熱可塑性樹脂によって形成されている。蓋部材２０は、筒状部材２０の上側開口部１０ａに嵌め込まれた後に、電熱ヒータなどの加熱手段と加圧処理によって、筒状部材１０の内周面の表層に熱接着されている。これにより、蓋部材２０の内面および筒状部材１０の内周面の表層によって、内容物が良好に密閉されている。
【００１９】
閉塞板３０は、基板３１と、基板３１の内面を被覆している内側シート３２（図２（ａ）参照）と、基板３１の外面に貼り付けられたシール３３と、を備えている。閉塞板３０は、筒状部材１０の底部に嵌め込まれることで、筒状部材１０の底部を閉塞している。
【００２０】
基板３１は、円板状の板紙の両面にポリエチレンをラミネート加工したものである。基板３１の外径は、筒状部材１０の周壁部１１の内径と同じである。
基板３１は、筒状部材１０の下側開口部１０ｂに嵌め込まれている。さらに、図２（ａ）に示すように、周壁部１１の下端縁部は内側に向けて折り曲げられている。周壁部１１の下端縁部は、基板３１の外面の外周縁部に熱接着によって接合されている。
【００２１】
基板３１の中央部には、図１（ａ）に示すように、スリットＬに囲まれた円形の切り取り部３４が形成されている。
スリットＬは、切断刃によって基板３１の外面を円形に切り込んだ切断線である。本実施形態のスリットＬは、基板３１を上下方向に貫通しているが、スリットＬが基板３１を完全に貫通していなくてもよく、基板３１の内面側が僅かに繋がっていてもよい。
基板３１には、リング状の外周部３５と、外周部３５の中央部に形成された円形の切り取り部３４とがスリットＬによって区画されている。
【００２２】
内側シート３２は、図２（ｂ）に示すように、ポリエチレンテレフタレート（ＰＥＴ）やナイロンなどの熱可塑性樹脂を、基板３１の内面にラミネート加工することで形成されている。内側シート３２は、基板３１の内面全体を被覆しており、外周部３５および切り取り部３４の内面に積層されている。
【００２３】
切り取り部３４および内側シート３２には、図１（ａ）および（ｂ）に示すように、三つの貫通穴４０が形成されている。三つの貫通穴４０は、内側シート３２および切り取り部３４の周方向に等間隔に配置されている。
【００２４】
本実施形態の貫通穴４０は、十字形状のスリットである。貫通穴４０は、切り取り部３４および内側シート３２を上下方向に貫通している（図２（ａ）参照）。  
貫通穴４０は、切断刃によって切り取り部３４および内側シート３２を連続して切り込むことで形成されている。すなわち、切り取り部３４および内側シート３２の貫通穴４０は、一回の切断作業によって形成されている。
【００２５】
シール３３は、図１（ａ）に示すように、紙製の円形内側シートであり、外周縁部に半円形状の剥離用つまみ３３ａが突出している。シール３３の内面には、ポリエチレンなどの熱可塑性樹脂がラミネート加工されている。
また、シール３３の内面には、粘着層が設けられている。シール３３は、基板３１の外周部３５および切り取り部３４の外面に剥離可能に貼り付けられている。シール３３は、切り取り部３４よりも大きく形成されている。したがって、基板３１のスリットＬ、切り取り部３４、各貫通穴４０はシール３３によって塞がれている。
なお、シール３３を基板３１に貼り付けた状態では、剥離用つまみ３３ａは外側に折り返されており、剥離用つまみ３３ａはシール３３の外面に重なっている。
【００２６】
シール３３と切り取り部３４との接着力は、切り取り部３４と外周部３５との接合力よりも大きく設定されている。したがって、図２（ｂ）に示すように、シール３３を基板３１から剥離したときに、切り取り部３４はシール３３の内面に付着して、シール３３とともに基板３１から取り除かれる。
【００２７】
本実施形態の容器１を使用するときには、図１（ｂ）に示すように、シール３３の剥離用つまみ３３ａを引っ張って、基板３１からシール３３を剥離して取り除く。このとき、切り取り部３４はシール３３の内面に付着しており、切り取り部３４がシール３３とともに基板３１の中央部から取り除かれる。
これにより、基板３１の中央部に開口部３６が貫通する。この開口部３６内には内側シート３２および各貫通穴４０が露出する。
【００２８】
そして、図３に示すように、押出用の器具のピストンＰを筒状部材１０の頂部に装着して、ピストンＰによって蓋部材２０を筒状部材１０の底部側（閉塞板３０側）に押し込む。これにより、蓋部材２０の外周面が筒状部材１０の内周面に密着した状態で、蓋部材２０が筒状部材１０の底部側に移動する。
筒状部材１０の板紙の内周面には、熱可塑性樹脂の表層が形成されており、この表層は蓋部材２０の内面に熱接着されている。そして、蓋部材２０を筒状部材１０の底部側に移動させたときには、筒状部材１０の表層と蓋部材２０とは熱接着された状態を保つことになり、蓋部材２０の移動に伴って、筒状部材１０の板紙から表層が剥離される。
なお、筒状部材１０が複数の紙層からなる板紙の場合、板紙表面と、前記表層の界面の接着強度より、紙層同士の層間強度の方が弱いため、剥離は板紙の紙層間で発生する。すなわち、前記表層は、板紙の内周面表面の紙層に積層された状態で剥離される。
このように、蓋部材２０が筒状部材１０の内周面の表層を剥離しながら底部側に移動すると、液体調味料は熱可塑性樹脂の膜に包まれた状態で密閉状態を保ちながら、筒状部材１０の底部側に押し込まれ、閉塞板３０の各貫通穴４０から液体調味料が押し出される。
【００２９】
次に、本実施形態の容器１の閉塞板３０の製造方法について説明する。
まず、図４（ａ）に示すように、両面にポリエチレンなどの熱可塑性樹脂がラミネート加工された板紙Ｓを用意する。
板紙Ｓの内面にポリエチレンテレフタレートやナイロンなどの熱可塑性樹脂をラミネート加工して、板紙Ｓの内面に樹脂製の内側シート３２を被覆させる。
【００３０】
続いて、板紙Ｓに基板３１となる領域Ａを設定し、図４（ｂ）に示すように、切断装置の切断刃によって板紙Ｓの外面側から領域Ａの中央部にスリットＬおよび三つの貫通穴４０を切り込む。このとき、スリットＬは板紙Ｓのみを貫通し、各貫通穴４０は板紙Ｓおよび内側シート３２を貫通させる。
なお、一回の切断作業によってスリットＬおよび各貫通穴４０を切り込むことが好ましいが、スリットＬの切断作業と各貫通穴４０の切断作業とを連続して行ってもよい。
【００３１】
さらに、図５（ａ）に示すように、領域Ａの外面にシール３３を貼り付けて、シール３３によってスリットＬ、切り取り部３４および各貫通穴４０を覆う。また、シール３３の剥離用つまみ３３ａを外側に折り返して、剥離用つまみ３３ａをシール３３の外面に重ねる。
【００３２】
その後、図５（ｂ）に示すように、切断装置の切断刃によって領域Ａの外周縁部を切り込み、板紙Ｓから基板３１および内側シート３２を切り抜く。これにより、基板３１と内側シート３２とが積層された閉塞板３０が板紙Ｓから切り出される。
このようにして製造された閉塞板３０を、図１（ａ）に示すように、筒状部材１０の下側開口部１０ｂに嵌め込むことで、容器１を製造することができる。
【００３３】
以上のような容器１および閉塞板３０の製造方法では、図４（ｂ）に示すように、基板３１に切り取り部３４（開口部３６）を形成する切断作業と、切り取り部３４および内側シート３２に貫通穴４０を形成する切断作業とを同一工程で行うことができる。したがって、図１（ａ）に示す閉塞板３０の製造工程を簡素化することができるため、容器１の製造コストを低減することができる。
【００３４】
また、本実施形態の容器１は、未使用時に基板３１の開口部３６が切り取り部３４によって塞がれているため、液体調味料などの内容物がシール３３の内面に接触し難くなるとともに、容器１の底部の強度を高めることができる。
【００３５】
以上、本発明の実施形態について説明したが、本発明は前記実施形態に限定されることなく、その趣旨を逸脱しない範囲で適宜に変更が可能である。
本実施形態の容器１では、図１（ｂ）に示すように、三つの貫通穴４０が形成されているが、貫通穴４０の形状や数は、内容物の種類や流出量に応じて適宜に設定される。
【００３６】
本実施形態の容器１では、筒状部材１０の底部に閉塞板３０が設けられているが、筒状部材１０の頂部に閉塞板３０を設けてもよい。例えば、容器１内に飲料水を封入しておき、使用時には、頂部の閉塞板３０からシール３３を剥離して、開口部３６内に貫通穴４０を露出させ、この貫通穴４０にストローを差し込むように構成することができる。
【００３７】
また、閉塞板３０および筒状部材１０の形状は限定されるものではなく、四角形や八角形など多角形の筒状部材に、多角形の閉塞板３０を設けてもよい。
さらに、頂部よりも底部が縮径されたテーパ状の筒状部材を有する容器の底部のカール部に閉塞板３０を設けてもよい。
【００３８】
本実施形態の閉塞板３０の製造工程において、図４（ａ）に示す板紙Ｓの長手方向および幅方向に複数の領域Ａを並設し、複数の切断装置を幅方向に並設した場合には、多数の閉塞板３０を効率良く製造することができる。
【符号の説明】
【００３９】
１      容器
１０    筒状部材
１１    周壁部
２０    蓋部材
３０    閉塞板
３１    基板
３２    内側シート
３３    シール
３４    切り取り部
３５    外周部
３６    開口部
４０    貫通穴
Ｌ      スリット
Ｓ      板紙
【図１】
2018104036.tif 000003
【図２】
2018104036.tif 000004
【図３】
2018104036.tif 000005
【図４】
2018104036.tif 000006
【図５】
2018104036.tif 000007